(57)【特許請求の範囲】
【請求項１】
光を放射する複数の発光部と、
前記複数の発光部をそれぞれ収納する複数の収納部と、
それぞれ互いに異なるいずれか一方の前記発光部の放射光を一端側に受けて、受けた光を他端側に伝達する複数の光伝達部材と、
前記複数の収納部間に設けられており、各発光部から発光された光の重なりを低減せしめて前記収納部外へ射出せしめる分割部と、
前記複数の光伝達部材の他端側にそれぞれ配置され、前記光伝達部材の他端側まで伝達された光を被写体に照射する複数の光出力部と、
前記複数の発光部の発光量を、前記発光部毎に制御する発光制御部と、を備えていることを特徴とする電子閃光装置。
【請求項２】
請求項１記載の電子閃光装置において、
複数の前記発光部は、放射光を出光させる出光面を有し、
前記出光面を基準として放射光の進行方向側の位置に、複数の前記光伝達部材の一端側を着脱自在に固定する固定部材を備えていることを特徴とする電子閃光装置。
【請求項３】
請求項２記載の電子閃光装置において、
前記固定部材は、前記複数の光伝達部材にそれぞれ対応するように前記固定部材の内部空間を分割する分割部材を備えることを特徴とする電子閃光装置。
【請求項４】
請求項１〜請求項３のいずれか一項記載の電子閃光装置において、
複数の前記光出力部を、カメラの撮影レンズの鏡筒の先端に、前記撮影レンズの外周に沿って装着する装着手段を有し、
複数の前記光出力部が前記装着手段によって前記撮影レンズの鏡筒の先端に装着されたとき、複数の前記光出力部により形成される出光面は環状であることを特徴とする電子閃光装置。
【請求項５】
請求項１〜請求項４のいずれか一項記載の電子閃光装置において、
複数の前記光伝達部材は、互いに分離されており、
複数の前記光出力部を複数の照明用スタンド上にそれぞれ固定する固定手段を有していることを特徴とする電子閃光装置。
【請求項６】
請求項１〜請求項５のいずれか一項記載の電子閃光装置において、
複数の前記光伝達部材は、光を反射させる素材を内部に有し、前記素材によって光を反射させながら伝達することを特徴とする電子閃光装置。
【請求項７】
請求項１〜請求項６のいずれか一項記載の電子閃光装置において、
前記複数の発光部はそれぞれ、最大発光強度が略等しいことを特徴とする電子閃光装置。
【請求項８】
開口部を有し、前記開口部を電子閃光装置の発光部の出光面に向けて前記電子閃光装置に着脱自在に装着され、装着されたときに前記開口部により前記出光面を覆う筐体部と、
前記筐体部内に配置され、前記開口部の開口面に入射する前記発光部の放射光が、前記筐体部における前記開口面とは反対側に進行するように、前記筐体部内の空間を複数に分割する分割部材と、
前記発光部の放射光を、前記分割部材により分割された複数の空間の互いに異なるいずれか一方を介して一端側にそれぞれ受けて、受けた光を他端側に伝達する複数の光伝達部材と、
前記複数の光伝達部材の他端側にそれぞれ配置され、前記光伝達部材の他端側まで伝達された光を被写体に照射する複数の光出力部と、を備え、
前記分割部材は、前記開口面に入射した前記発光部の放射光が、前記分割された複数の空間に入る際の、該複数の空間毎の入射光量の割合を変更することを特徴とする電子閃光装置用アダプタ。
【請求項９】
請求項８記載の電子閃光装置用アダプタにおいて、
前記分割部材における前記開口面側の位置を変更可能なように、前記分割部材は、回転自在または移動自在に配置されることを特徴とする電子閃光装置用アダプタ。
【請求項１０】
請求項８記載の電子閃光装置用アダプタにおいて、
前記分割部材により分割された空間内に配置される減光フィルタを備えていることを特徴とする電子閃光装置用アダプタ。
【請求項１１】
請求項８〜請求項１０のいずれか一項記載の電子閃光装置用アダプタにおいて、
複数の前記光出力部を、カメラの撮影レンズの鏡筒の先端に、前記撮影レンズの外周に沿って装着する装着手段を有し、
複数の前記光出力部が前記装着手段によって前記撮影レンズの鏡筒の先端に装着されたとき、複数の前記光出力部により形成される出光面は、環状であることを特徴とする電子閃光装置用アダプタ。
【請求項１２】
請求項８〜請求項１１のいずれか一項記載の電子閃光装置用アダプタにおいて、
複数の前記光伝達部材は、互いに分離されており、
複数の前記光出力部を複数の照明用スタンド上にそれぞれ固定する固定手段を有していることを特徴とする電子閃光装置用アダプタ。
【請求項１３】
請求項８〜請求項１２のいずれか一項記載の電子閃光装置用アダプタにおいて、
複数の前記光伝達部材は、光を反射させる素材を内部に有し、前記素材によって光を反射させながら伝達することを特徴とする電子閃光装置用アダプタ。
【発明の詳細な説明】
【技術分野】
【０００１】
本発明は、近接撮影に対応可能な電子閃光装置、及び電子閃光装置用アダプタに関する。
【背景技術】
【０００２】
電子閃光装置をカメラのアクセサリシュー上に装着して、電子閃光装置本体の発光部を発光させて近接撮影を行うと、意図しない影が写ってしまうことがある。これは、撮影レンズの先端と被写体との距離が短いため、照射光が被写体に対して斜めに当たるので、被写体に影ができてしまうからである。そこで、従来の近接撮影用の電子閃光装置では、発光部を本体から分離して、発光部のみをカメラの撮影レンズの鏡筒の先端に装着している。具体的には、電池、昇圧回路、及び発光量制御回路を電子閃光装置の本体に残して、キセノン管やトリガー回路などの発光のための最小要素を発光部に実装する。そして、図１３に示す外観図のように、撮影レンズに装着される発光部と、本体とを電気コードにより接続し、この電気コードにより発光電流及び電気制御信号を伝達している。
【０００３】
このような近接撮影用の電子閃光装置では、照明される被写体の明るさに偏りが生じないように、撮影レンズの外周に沿った環状の出光面を形成することが望ましい。そこで、特許文献１の閃光装置では、電気コードにより本体と接続された発光部内において、多数の光導繊維の一端を直線状放電管に向けて配置し、これら光導繊維の他端を環状に配置している。これにより、直線状放電管の放射光を環状光に変換している。なお、出光面を環状にする他の従来技術としては、リング形状のキセノン管を使用したり、Ｃ型形状のキセノン管を２本使用する方法が知られている。或いは、数本のストレートキセノン管を撮影レンズの鏡筒の外周に沿って配置させて、ディフューザを用いて略均一な強度の環状光を生成する方法もある。
【０００４】
また、特許文献２では、撮影モードに応じて、内蔵の閃光装置の出光形態を切り替え可能なカメラが開示されている。通常撮影モードの場合、発光管を覆うリフレクタの開口部を、発光管の前面の第１照射窓に向けて、この第１照射窓から光を直接出射している。近距離撮影モードの場合、リフレクタの開口部を、カメラ内に配置された光ファイバの一端に向ける。この光ファイバの他端は撮影レンズの外周に配置された環状の第２照射窓に導かれており、これにより環状の出光面を形成している。このようにカメラ内の光源の放射光を導光素子によって撮影レンズの近傍に導いて出射させる構成は、撮影補助装置として、特許文献３にも開示されている。
【特許文献１】公開実用新案昭和５２−８７２４０号公報  （第２−６項、図１−図３）
【特許文献２】特開２０００−１４７６１２号公報  （第３−９項、図１−図９）
【特許文献３】登録実用新案公報第３０４８６８９号公報  （第２−４項、図３）
【発明の開示】
【発明が解決しようとする課題】
【０００５】
特許文献１のように、分離した発光部を撮影レンズに装着する構成では、以下の課題が挙げられる。
第１に、発光部には少なくともキセノン管、トリガー回路、倍電圧回路などの電子部品と、反射鏡、プロテクタなどの機構部品とが配置される。このような発光部を撮影レンズに装着すると、撮影レンズ先端が重くなり、撮影システム全体のバランスが崩れるおそれがある。また、レンズ位置を調整するモータへの負荷が大きくなり、オートフォーカス動作をスムーズに行えないおそれがある。
【０００６】
第２に、一般に発光電流は、約１００Ａ〜２００Ａの大電流である。この発光電流を流すために電気コード内の導電線の径を大きくする必要があるので、電気コード全体は太く重くなる。従って、特に低温の場合には電気コードが硬くなるので、発光部を撮影レンズに装着する操作をスムーズに行えないおそれがある。
第３に、発光用の大電流ラインと、制御用の小信号ラインとが１本の電気コード内に共存するため、互いに電磁誘導やノイズを起こして、電子閃光装置が誤動作するおそれがある。また、電子閃光装置の発光部は、発光時に強い電磁波を出す。従って、電子回路内蔵の撮影レンズの場合、発光時の電磁波ノイズによって、この電子回路が誤動作するおそれがある。
【０００７】
一方、特許文献２の閃光装置内蔵型カメラや特許文献３の撮影補助装置は、上述の問題はないと考えられるものの、様々な条件に設定して撮影することはできない。具体的には、主照明と補助照明とを用いて立体的な写真を撮ったり、多彩なライティングを使って芸術的な写真を撮ったりすることができない。特許文献２の閃光装置内蔵型カメラや特許文献３の撮影補助装置を用いて多彩なライティングを実現するためには、さらに２台以上の電子閃光装置を用意することなどが必要である。
【０００８】
本発明の目的は、撮影レンズの先端が重くなったり誤動作したりするおそれがない近接撮影用の電子閃光装置を提供することである。
本発明の別の目的は、上記の電子閃光装置を通常撮影にも対応可能にすることである。
本発明の別の目的は、発光部が分離していない通常撮影用の電子閃光装置を、近接撮影にも対応可能にする電子閃光装置用アダプタを提供することである。
【０００９】
本発明の別の目的は、上記の電子閃光装置、及び電子閃光装置用アダプタにおいて、多彩なライティングを実現することである。
【課題を解決するための手段】
【００１０】
請求項１の電子閃光装置は、光を放射する複数の発光部と、複数の収納部と、複数の光伝達部材と、分割部と、複数の光出力部と、発光制御部とを備えていることを特徴とする。複数の収納部は、複数の発光部をそれぞれ収納する。複数の光伝達部材は、それぞれ互いに異なるいずれか一方の発光部の放射光を一端側に受けて、受けた光を他端側に伝達する。分割部は、複数の収納部間に設けられており、各発光部から発光された光の重なりを低減せしめて収納部外へ射出せしめる。複数の光出力部は、複数の光伝達部材の他端側にそれぞれ配置され、光伝達部材の他端側まで伝達された光を被写体に照射する。発光制御部は、複数の発光部の発光量を、発光部毎に制御する。
【００１１】
請求項２の電子閃光装置は、請求項１の発明において、以下の点を特徴とする。第１に、複数の発光部は、放射光を出光させる出光面を有している。第２に、出光面を基準として放射光の進行方向側の位置に、複数の光伝達部材の一端側を着脱自在に固定する固定部材を備えている。
請求項３の電子閃光装置は、請求項２の発明において、『固定部材は、複数の光伝達部材にそれぞれ対応するように固定部材の内部空間を分割する分割部材を備える』ことを特徴とする。
【００１２】
請求項４の電子閃光装置は、請求項１〜請求項３のいずれかの発明において、以下の点を特徴とする。第１に、複数の光出力部を、カメラの撮影レンズの鏡筒の先端に、撮影レンズの外周に沿って装着する装着手段を有している。第２に、複数の光出力部が装着手段によって撮影レンズの鏡筒の先端に装着されたとき、複数の光出力部により形成される出光面は環状である。
【００１３】
請求項５の電子閃光装置は、請求項１〜請求項４のいずれかの発明において、以下の点を特徴とする。第１に、複数の光伝達部材は、互いに分離されている。第２に、複数の光出力部を複数の照明用スタンド上にそれぞれ固定する固定手段を有している。
請求項６の電子閃光装置は、請求項１〜請求項５のいずれかの発明において、『複数の光伝達部材は、光を反射させる素材を内部に有し、この素材によって光を反射させながら伝達する』ことを特徴とする。
【００１４】
請求項７の電子閃光装置は、請求項１〜請求項６のいずれかの発明において、複数の発光部はそれぞれ、最大発光強度が略等しいことを特徴とする。
請求項８の電子閃光装置用アダプタは、筐体部と、分割部材と、複数の光伝達部材と、複数の光出力部と、を備えていることを特徴とする。筐体部は、開口部を有し、開口部を電子閃光装置の発光部の出光面に向けて電子閃光装置に着脱自在に装着され、装着されたときに開口部により出光面を覆う。分割部材は、筐体部内に配置され、開口部の開口面に入射する発光部の放射光が筐体部における開口面とは反対側に進行するように、筐体部内の空間を複数に分割する。複数の光伝達部材は、発光部の放射光を、分割部材により分割された複数の空間の互いに異なるいずれか一方を介して一端側にそれぞれ受けて、受けた光を他端側に伝達する。複数の光出力部は、複数の光伝達部材の他端側にそれぞれ配置され、光伝達部材の他端側まで伝達された光を被写体に照射する。分割部材は、開口面に入射した発光部の放射光が、分割された複数の空間に入る際の、該複数の空間毎の入射光量の割合を変更する。
【００１５】
請求項９の電子閃光装置用アダプタは、請求項８の発明において、『分割部材における開口面側の位置を変更可能なように、分割部材は、回転自在または移動自在に配置される』ことを特徴とする。
請求項１０の電子閃光装置用アダプタは、請求項８の発明において、分割部材により分割された空間内に配置される減光フィルタを備えていることを特徴とする。
【００１６】
請求項１１の電子閃光装置用アダプタは、請求項８〜請求項１０のいずれかの発明において、以下の点を特徴とする。第１に、複数の光出力部を、カメラの撮影レンズの鏡筒の先端に、撮影レンズの外周に沿って装着する装着手段を有している。第２に、複数の光出力部が装着手段によって撮影レンズの鏡筒の先端に装着されたとき、複数の光出力部により形成される出光面は、環状である。
【００１７】
請求項１２の電子閃光装置用アダプタは、請求項８〜請求項１１のいずれかの発明において、以下の点を特徴とする。第１に、複数の光伝達部材は、互いに分離されている。第２に、複数の光出力部を複数の照明用スタンド上にそれぞれ固定する固定手段を有している。
請求項１３の電子閃光装置用アダプタは、請求項８〜請求項１２のいずれかの発明において、『複数の光伝達部材は、光を反射させる素材を内部に有し、この素材によって光を反射させながら伝達する』ことを特徴とする。
【発明の効果】
【００１８】
本発明の電子閃光装置の一形態では、複数の発光部を電子閃光装置の本体に残して、光伝達部材及び光出力部を本体から分離できる。従って、近接撮影の際には、光出力部を撮影レンズに装着して、光伝達部材を介して本体の発光部の放射光を光出力部から出射させればよい。また、通常撮影の際には、光伝達部材及び光出力部を用いずに、本体の発光部の放射光を被写体に直接照射すればよい。従って、通常撮影及び近接撮影の両方に対応できる。さらに、光出力部は発光回路を含まない構成なので、近接撮影の際に、撮影レンズの先端が重くなったり誤動作したりするおそれがない。
【００１９】
本発明の電子閃光装置の別の一形態では、複数の発光部と、これら発光部の発光量を、各々の発光部毎に制御する発光制御部とを有している。このため、複数の発光部の発光量の比を変更できるので、非均一な照明光を作り出すことができる。従って、多彩なライティングを実現できる。さらに、複数の発光部の最大発光強度は略等しいので、発光量の比の制御が容易である。
【００２０】
本発明の電子閃光装置用アダプタは、分割部材により分割された複数の空間を有すると共に電子閃光装置に装着される筐体部と、分割された空間を介して電子閃光装置の放射光を受ける複数の光伝達部材と、複数の光出力部とを有する。従って、例えば、複数の光出力部を撮影レンズに装着すれば、通常撮影用の電子閃光装置を近接撮影にも対応可能にできる。また、電子閃光装置に発光素子が１つしかなくても、複数の光出力部を互いに離して設置することで、複数の異なる方向から被写体を照明できる。
【００２１】
本発明の電子閃光装置用アダプタの一形態では、筐体部内において、分割部材は、回転自在または移動自在に配置される。或いは、分割された空間の少なくともいずれかには、減光フィルタが配置される。このため、電子閃光装置からこれらの空間に入射する光量の比を調整できる。従って、非均一な照明光を生成できるので、発光素子が１つしかない電子閃光装置を用いても、多彩なライティングを実現できる。
【発明を実施するための最良の形態】
【００２２】
以下、図面を用いて本発明の実施の形態を説明する。
＜第１の実施形態＞
図１は、本発明の第１の実施形態における撮影システムの分解側面図を示している。本実施形態は、請求項１〜請求項７に対応する。図に示すように、撮影システム１０は、撮影レンズ１２を装着したカメラ１４と、本実施形態の電子閃光装置１６とで構成されている。電子閃光装置１６は、カメラ１４のアクセサリシューに着脱自在に装着される本体部２０と、光移動部２２と、装着部材２４とを有している。光移動部２２は、第１光出力部３０ａと、第２光出力部３０ｂと、第１光伝達部材３２ａと、第２光伝達部材３２ｂと、第１及び第２光伝達部材３２ａ、３２ｂの一端側を本体部２０の出光面の前面に固定する固定部材３４とを有している。
【００２３】
図２は、電子閃光装置１６の本体部２０を、出光面を含む正面側から見た概観図である。図に示すように、本体部２０は、第１発光管４０を含む第１発光回路４２（後述する図７参照）を備えた第１発光部４４と、第２発光管４６を含む第２発光回路４８（後述する図７参照）を備えた第２発光部５０とを有している。また、電子閃光装置１６は、第１発光管４０及び第２発光管４６を収納する筐体５２を有している。この筐体５２は、出光面である前面に、透明板を有している。また、筐体５２内の空間を、第１発光管４０を収納する空間と、第２発光管４６を収納する空間とに２等分する遮光性の分割部材５４が筐体５２内に配置されている。この分割部材５４により、筐体５２外に出た第１発光管４０の放射光と、第２発光管４６の放射光とが重なる割合は、小さくなる。従って、第１発光管４０と第２発光管４６とが異なる強度で発光すれば、照明される被写体の明るさに偏りが生じる。なお、第１発光管４０及び第２発光管４６は、最大発光強度が等しく、例えばキセノン管である。
【００２４】
図３は、光移動部２２の概略構成を示す斜視図である。図に示すように、固定部材３４は、第１及び第２発光部４４、５０の出光面に着脱自在に嵌合される形状の略筐体である。固定部材３４内には、遮光性の分割部材６０が配置されており、これにより固定部材３４内の空間は、第１の空間６２ａと第２の空間６２ｂとに２等分されている。固定部材３４の内面は、分割部材６０も含めて、全反射性の膜で覆われている。
【００２５】
第１及び第２光伝達部材３２ａ、３２ｂは、光ファイバ束をゴムなどで被覆することで構成されており、屈曲可能である。第１光伝達部材３２ａは、固定部材３４における第１の空間６２ａに一端が接続されており、他端が第１光出力部３０ａに接続されている。第１光伝達部材３２ａの光ファイバ束は、第１の空間６２ａを介して第１発光管４０の放射光を一端に受けて、受けた光を他端に伝達する。第１光伝達部材３２ａの光ファイバ束の他端から出射される光は、第１光出力部３０ａの出光面（図の斜線領域）から出射される。同様に、第２光伝達部材３２ｂの光ファイバ束は、第２の空間６２ｂを介して第２発光管４６の放射光を一端に受けて、受けた光を他端に伝達する。第２光伝達部材３２ｂの光ファイバ束の他端から出射される光は、第２光出力部３０ｂの出光面（図の斜線領域）から出射される。第１光出力部３０ａ及び第２光出力部３０ｂは、リングを半分にした形状であり、出光面である前面から光を出射する。即ち、第１及び第２光出力部３２ａ、３０ｂを合わせることで、環状の出光面が形成される。
【００２６】
図４は、第１発光部４４、固定部材３４における第１の空間６２ａ、及び第１光伝達部材３２ａの一端側の断面模式図である。図に示すように、筐体５２における第１発光管４０を収納する空間には、第１発光管４０を覆うように、且つ、開口面を第１発光部４４の出光面に向けて反射鏡６６が配置されている。第１の空間６２ａ内では、光ファイバ束は、第１発光管４０の放射光を効率的に受けるために、先端を第１発光管４０に向けて配置されている。固定部材３４における第２の空間６２ｂ、第２光伝達部材３２ｂの構成は、上述した第１の空間６２ａ、第１光伝達部材３２ａとそれぞれ同じである。
【００２７】
図５は、第１光伝達部材３２ａの他端側、第１光出力部３０ａ、及び装着部材２４の詳細を示す斜視図である。図に示すように、略リング状に形成された装着部材２４は、４つの突起７０を有している。これら４つの内２つずつが、第１及び第２光出力部３０ａ、３０ｂをそれぞれ装着部材２４上に固定する。これら４つの突起７０は、例えば樹脂からなり、略円筒状に形成されており、真中部分の直径が大きく、可撓性を高めるための切り込み７２を有している。そして、装着部材２４の外周の両側には、第１及び第２光出力部３０ａ、３０ｂを固定したときに第１及び第２光伝達部材３２ａ、３２ｂを通すための窪み７６がそれぞれ形成されている。さらに、装着部材２４は、ねじ穴７８と、このねじ穴７８を介して装着部材２４を撮影レンズ１２の鏡筒に圧着固定するための固定ねじ８０とを２つずつ有している。これら固定ねじ８０の先端には、撮影レンズ１２への装着の際にその鏡筒を保護するための半円状のゴムクッション８２がそれぞれ取り付けられている。装着部材２４は、その内径が一般の撮影レンズの鏡筒の外径よりも大きく形成されている。従って、装着部材２４を撮影レンズ１２の先端に固定する際には、ゴムクッション８２が撮影レンズ１２の鏡筒を押圧するように、固定ねじ８０を回せばよい。
【００２８】
第１光出力部３０ａ内では、第１光伝達部材３２ａの光ファイバは、先端を第１光出力部３０ａの出光面に向けて配置されている。この出光面には、光ファイバ束の先端で形成される多数の点光源を面光源にするための拡散板８６が配置されている。さらに、第１光出力部３０ａにおける出光面と反対側には、装着部材２４の突起７０を嵌め合わせるための略円筒状の取付穴８８が２つ形成されている。これら取付穴８８は、開口面においてのみ、その直径が突起７０の最大直径よりも短い。なお、煩雑となるため、図では数本の光ファイバのみを示したが、光ファイバの本数はこれに限定されるものではない。また、第２光出力部３０ｂの構造は、第１光出力部３０ａと同様である。
【００２９】
図６は、２灯照明の際に、第１及び第２光出力部３０ｂを、互いに離れた場所に設置されたライトスタンド（照明用スタンド、図示せず）上にそれぞれ固定するスタンド用固定部材９２の一例を示す斜視図である。図に示すように、スタンド用固定部材９２は、装着部材２４と同様に、第１及び第２光出力部３０ａ、３０ｂのいずれかを嵌め込むための突起９４を２つ有している。これら突起９４の構造は、装着部材２４の突起７０と同様である。また、スタンド用固定部材９２は、ライトスタンドのねじに嵌め込むためのねじ穴９６を３つの面にそれぞれ有しているので、ライトスタンド上において３通りの立て方が可能である。なお、照明装置を両側から挟んで固定する機構を備えたライトスタンドの場合、ねじ穴９６を用いずに、この機構によりスタンド用固定部材９２を挟めばよい。
【００３０】
図７は、電子閃光装置１６の本体部２０内の回路構成の要部を示している。図に示すように、電子閃光装置１６の本体部２０は、交換可能な電池Ｂａｔｔと、昇圧回路１００（ＤＣ−ＤＣコンバータ）と、ダイオードＤ１、Ｄ２と、電圧レベル検出回路１０４と、メインコンデンサＣ１と、第１発光回路４２と、第２発光回路４８と、発光量制御部１０８と、情報表示部１１０とを有している。情報表示部１１０は、ユーザが電子閃光装置１６の本体部２０の操作部（図示せず）を操作して入力した撮影条件や、発光量などの撮影に必要な情報を表示する。
【００３１】
第１発光回路４２は、抵抗Ｒ１と、第１発光管４０と、第１トリガー回路１１４と、第１の倍電圧回路１１６と、スイッチング素子であるＩＧＢＴ（Insulated Gate Bipolar Transistor）１１８とで構成されている。第１トリガー回路１１４は、トリガーコンデンサＣ２と、トリガーコイルＴ１とで構成されている。なお、トリガーコイルＴ１においては、トリガーコンデンサＣ２に直接接続されている側を１次側とし、反対側を２次側とする。第１の倍電圧回路１１６は、ダイオードＤ３と、コンデンサＣ３と、抵抗Ｒ２とで構成されている。
【００３２】
第２発光回路４８は、第１発光回路４２と同様の構成であり、抵抗Ｒ３と、第２発光管４６と、第２トリガー回路１２２と、第２の倍電圧回路１２４と、ＩＧＢＴ１２６とで構成されている。第２トリガー回路１２２は、トリガーコンデンサＣ４と、トリガーコイルＴ２とで構成されている。第２の倍電圧回路１２４は、ダイオードＤ４と、コンデンサＣ５と、抵抗Ｒ４とで構成されている。
【００３３】
ここで、第１発光回路４２が発光するときの回路動作を説明する。まず、電子閃光装置１６の電源釦（図示せず）がオンされると、発光量制御部１０８は、昇圧開始信号ａを昇圧回路１００に入力する。なお、この状態では、ＩＧＢＴ１１８のゲート端子の電圧は低レベルであり、ＩＧＢＴ１１８はオフ（非導通）している。昇圧開始信号ａの入力に同期して、昇圧回路１００は、電池Ｂａｔｔの電圧を発光に必要な直流の高電圧（例えば３３０Ｖ）に変換して、ダイオードＤ１、Ｄ２を介してメインコンデンサＣ１を充電する。
【００３４】
これにより、第１の倍電圧回路１１６のコンデンサＣ３は、抵抗Ｒ１、Ｒ２を介して、メインコンデンサＣ１と同じ電圧まで充電される。なお、トリガーコンデンサＣ２は、抵抗Ｒ１及びトリガーコイルＴ１の１次巻線を介して両端が接続されているので、その両端の電圧差はほぼゼロＶになる。この後、メインコンデンサＣ１の充電電圧が所定値に達す
ると、電圧レベル検出回路１０４は、充電完了信号ｂを発光量制御部１０８に入力する。これに同期して、発光量制御部１０８は、昇圧回路１００の動作を停止させる。このようにメインコンデンサＣ１及びコンデンサＣ３が所定の高電圧に充電されており、トリガーコンデンサＣ２の充電電圧がゼロＶであり、ＩＧＢＴ１１８、１２６が非導通である状態を初期状態とする。
【００３５】
次に、カメラ１４のシャッタ釦が全押しされて、カメラ１４からの発光指令信号が電子閃光装置１６に入力される。これに同期して、発光量制御部１０８は、発光開始信号として、ＩＧＢＴ１１８のゲート端子への入力電圧を高レベルに切り替える。これに同期して、ＩＧＢＴ１１８のコレクターエミッタ間が導通して、第１発光管４０の両端には、メインコンデンサＣ１及びコンデンサＣ３により、メインコンデンサＣ１の充電電圧の約２倍の電圧が印加される（このとき、ダイオードＤ３はオフ状態である）。同時に、メインコンデンサＣ１に蓄積されていた電荷は、トリガーコンデンサＣ２を介して、励磁電流としてトリガーコイルＴ１の１次巻線に瞬間的に流れる。これに同期して、トリガーコイルＴ１の２次巻線に数キロボルトのトリガー電圧が生成され、これが第１発光管４０の外壁に印加される。これにより、第１発光管４０内部のキセノンガスが励起され、第１発光管４０は発光する。
【００３６】
一方、カメラ１４の測光系統も動作している。そして、例えばカメラ１４がフィルムカメラであり、ＴＴＬ調光モードに設定されていれば、露光量が適正値に達したとき、カメラ１４は、消灯指令信号を電子閃光装置１６に入力する。これに同期して、発光量制御部１０８は、発光停止信号として、ＩＧＢＴ１１８のゲート端子への入力電圧を低レベルに切り替える。これに同期して、ＩＧＢＴ１１８は非道通状態に切り替わるので、第１発光管４０を流れていた電流の経路は遮断され、発光は停止する。発光停止後は、次の発光動作に備えるため、メインコンデンサＣ１、第１トリガー回路１１４、及び第１の倍電圧回路１１６は、初期状態にリセットされる。
【００３７】
第２発光回路４８の発光時の回路動作は、第１発光回路４２と同様であるので、説明を省略する。なお、発光量制御部１０８は、第１発光回路４２のＩＧＢＴ１１８をオン及びオフに切り替えるタイミングと、第２発光回路４８のＩＧＢＴ１２６をオン及びオフに切り替えるタイミングとを別々に制御することで、第１発光管４０の発光量と、第２発光管４６の発光量とを別々に制御できる。また、発光量制御部１０８は、第１発光管４０の発光量と、第２発光管４６の発光量とが同じになるように、両者を同時に制御することもできる。
【００３８】
ここで、請求項と本実施形態との対応関係を説明する。なお、以下に示す対応関係は、参考のために示した一解釈であり、本発明を限定するものではない。請求項記載の発光制御部は、発光量制御部１０８に対応する。請求項で言及している光伝達部材を固定する固定部材は、固定部材３４に対応する。請求項で言及している光出力部を撮影レンズに装着する装着手段は、装着部材２４に対応する。請求項で言及している照明用スタンドへの固定手段は、スタンド用固定部材９２に対応する。
【００３９】
上述した撮影システム１０では、近接撮影を行う場合、電子閃光装置１６の本体部２０をカメラ１４のアクセサリシューに装着し、固定部材３４を本体部２０の出光面の前面に固定する。そして、第１及び第２光出力部３０ａ、３０ｂを装着部材２４上に嵌め合わせて、装着部材２４を撮影レンズ１２の鏡筒の先端に固定する。図８は、この状態を示す側面図である。この状態では、第１及び第２光出力部３０ａ、３０ｂにより環状の出光面が形成されるので、照明される被写体の明るさに偏りのない無影撮影を実施できる。なお、例えば被写体の明るさに偏りをもたせて立体感のある写真にしたい場合、ユーザは、操作部を介して第１及び第２発光管４０、４６の発光量をそれぞれ異なる値に設定すればよい。発光量制御部１０８は、入力された値に応じて、ＩＧＢＴ１１８、１２６をオン及びオフに切り替えるタイミングを調節して、第１及び第２発光管４０、４６の発光量を入力された値にする。これにより、照明される被写体の明るさを、左右或いは上下等に微妙に変えることができる。これは、以下に述べる通常撮影の場合においても同様である。
【００４０】
通常撮影を行う場合、光移動部２２及び装着部材２４を用いずに、電子閃光装置１６の本体部２０をカメラ１４のアクセサリシューに装着すればよい。この場合、光移動部２２が装着されないため、遠くまで光を照射できる。
複数の異なる方向から被写体を照明したい場合、本体部２０をカメラ１４のアクセサリシューに装着後、スタンド用固定部材９２を用いて、第１及び第２光出力部３０ａ、３０ｂを互いに離れた場所に設置された２つのライトスタンド上に固定する。但し、第１及び第２光伝達部材３２ｂには、ライトスタンドとカメラ１４との距離以上の長さを有するものを用いる。
【００４１】
以上、第１の実施形態では、電子閃光装置１６の本体部２０に第１及び第２発光部４４、５０を内蔵させ、本体部２０から分離した光移動部２２を近接撮影用に設けた。近接撮影の場合には、第１及び第２光出力部３０ｂを撮影レンズ１２に装着して、本体部２０の放射光を光ファイバを介して第１及び第２光出力部３０ｂから出射させる。これにより、撮影レンズ１２の外周に沿った環状の出光面を形成して、被写体を照明する。また、通常撮影の場合、光移動部２２を用いずに本体部２０の放射光により被写体を直接照明する。従って、通常撮影及び近接撮影の両方に対応できる。
【００４２】
撮影レンズ１２に装着される第１及び第２光出力部３０ａ、３０ｂは、キセノン管等の電子部品を含まない簡易な構成であるので、撮影レンズ１２の先端が重くなることはない。従って、撮影システム全体のバランスが崩れたり、レンズ位置を調整するモータへの負荷が大きくなるという従来課題は解消される。
本体部２０と、撮影レンズ１２に装着される第１及び第２光出力部３０ａ、３０ｂとを接続する第１及び第２光伝達部材３２ａ、３２ｂを、屈曲可能な光ファイバで構成した。即ち、従来の近接撮影用の電子閃光装置とは異なり、電子閃光装置本体と、撮影レンズに装着される部材とを接続するコード内で電気信号の伝達を行わない。従って、発光用大電流と制御用小信号とが互いに電磁誘導やノイズを起こして誤動作したり、発光時の電磁波ノイズによって撮影レンズ内の回路が誤動作するという従来課題は解消される。
【００４３】
また、１本の光ファイバの太さや光ファイバの本数を適切に選択すれば、第１及び第２光伝達部材３２ａ、３２ｂを、第１及び第２光出力部３０ａ、３０ｂの位置変更に支障のない柔らかさに維持できる。従って、低温の場合に電気コードが硬くなって、本体から分離した部材を撮影レンズにスムーズに装着できないという従来課題も解消される。なお、近接撮影では、少ない光量でも被写体を十分に照明できると考えられる。従って、第１及び第２光出力部３０ａ、３０ｂの最大発光量（即ち、第１及び第２光伝達部材３２ａ、３２ｂの光の伝導効率）が許容となる範囲において、光ファイバの本数を少なくして、第１及び第２光伝達部材３２ａ、３２ｂの屈曲性を高めてもよい。
【００４４】
本体部２０に第１及び第２発光管４０、４６を設け、これらの放射光を第１及び第２光出力部３０ａ、３０ｂから別々に出射させた。このため、第１及び第２光出力部３０ａ、３０ｂを離して設置するだけで、複数の異なる方向から被写体を照明できる。また、第１及び第２発光管４０、４６の発光量の比を変更するだけで、第１及び第２光出力部３０ａ、３０ｂからそれぞれ出射される発光量の比を変更できる。従って、被写体を均一に照明する照明光だけではなく、非均一な照明光を意図的に生成できる。この結果、多彩なライティングを実現できるので、立体的な写真や芸術的な写真を容易に撮ることができる。また、第１及び第２発光管４０、４６の最大発光強度は等しいので、両者の発光量の比を容易に制御できる。
【００４５】
さらに、装着部材２４の内径を一般の撮影レンズの鏡筒の外径よりも大きく形成し、固定ねじ８０により装着部材２４を撮影レンズの鏡筒に固定するようにした。このため、装着部材２４は、通常の撮影レンズ（例えば直径52ｍｍ〜72ｍｍ）ならどれにでも装着可能である。従って、装着部材２４を介して、第１及び第２光出力部３０ａ、３０ｂも、通常の撮影レンズならどれにでも着脱自在に装着できる。なお、あらゆる撮影レンズに対応できるように、大きさ及び形状の異なる装着部材及び光出力部を複数用意しておいてもよい。以上詳述したように第１の実施形態の電子閃光装置１６によれば、ユーザの利便性は大いに向上する。
【００４６】
なお、第１の実施形態では、第１発光管４０と、第２発光管４６の最大発光強度が等しい例を述べた。本発明は、かかる実施形態に限定されるものではない。ユーザの設定に応じて両者の発光量比を容易に制御できる範囲において、両者の最大発光強度は、若干異なっていてもよい。この若干異なっていてもよい範囲が、請求項記載の『最大発光強度が略等しい』の略に対応する。
【００４７】
発光素子、光伝達部材、及び光出力部が２つずつある例を述べた。本発明は、かかる実施形態に限定されるものではない。発光素子、光伝達部材、及び光出力部の数は、それぞれ異なっていてもよい。例えば、第１から第４までの４つの発光素子があり、光伝達部材及び光出力部が２つずつある形態でもよい。この場合、例えば、第１の光伝達部材のみを介して、第１及び第２の発光素子の放射光を第１の光出力部から出光させ、第２の光伝達部材のみを介して、第３及び第４の発光素子の放射光を第２の光出力部から出光させればよい。或いは、発光素子が２つあり、光伝達部材及び光出力部が４つずつある形態でもよい。この場合、例えば、第１及び第２の光伝達部材が共に第１の発光素子の放射光を受けて、第３及び第４の光伝達部材が共に第２の発光素子の放射光を受けるようにする。そして、第１〜第４の光伝達部材の先端にそれぞれ接続された第１〜第４の光出力部から光を出射させればよい。この場合、第１〜第４の光出力部をそれぞれ適切な位置に配置すれば、異なる４方向から被写体を照明でき、さらに多彩なライティングを実現できる。
【００４８】
＜第２の実施形態＞
図９は、本発明の第２の実施形態における、電子閃光装置用アダプタの概略構成を示している。本実施形態は、請求項８、請求項９、及び請求項１１〜請求項１３に対応する。第１の実施形態と同一の要素には同一符号を付し、重複する説明を省略する。図９（ａ）に示すように、電子閃光装置用アダプタ１４０は、固定部材１４４（請求項記載の筐体部に対応）と、第１光伝達部材１５０ａと、第２光伝達部材１５０ｂと、第１光出力部３０ａと、第２光出力部３０ｂと、装着部材２４とを有している。なお、この図には示していないが、電子閃光装置用アダプタ１４０は、第１の実施形態のスタンド用固定部材９２も有している。
【００４９】
固定部材１４４は、一般の電子閃光装置の発光部１５４の出光面を覆うための開口部１５２を有している。固定部材１４４は、開口部１５２が出光面を覆うように、即ち、開口部１５２の開口面が発光部１５４の出光面に合わさるように、電子閃光装置の発光部１５４に着脱自在に嵌合される形状の略筐体である。固定部材１４４の内面は、全反射性の膜で覆われている。また、固定部材１４４内には、板状の出光面分割部材１５８（請求項記載の分割部材に対応）が、回転軸１６０を軸として回転自在に配置されている。なお、出光面分割部材１５８の表面は全反射性である。また、板状である出光面分割部材１５８の向き（延在方向）が開口面の法線方向に沿ったときに、出光面分割部材１５８が開口面を２等分する位置に、回転軸１６０は配置されている。
【００５０】
固定部材１４４内の空間である開口部１５２は、出光面分割部材１５８により、第１の空間１６２ａと第２の空間１６２ｂとに分割されている。即ち、出光面分割部材１５８を回転させることで、開口部１５２の開口面の面積における、第１の空間１６２ａにより占められる割合と、第２の空間１６２ｂにより占められる割合との比を変更できる。これにより、発光部１５４の放射光が第１の空間１６２ａに入る割合と、第２の空間１６２ｂに入る割合との比を変更できる。
【００５１】
第１及び第２光伝達部材１５０ａ、１５０ｂの構造及び配置は、第１の実施形態の第１及び第２光伝達部材３２ａ、３２ｂとほぼ同様である。即ち、第１光伝達部材１５０ａの光ファイバ束は、第１の空間１６２ａを介して電子閃光装置の放射光を一端に受けて、受けた光を他端に伝達し、伝達された光は、第１光出力部３０ａから出射される。同様に、第２光伝達部材１５０ｂの光ファイバ束は、第２の空間１６２ｂを介して電子閃光装置の放射光を一端に受けて、受けた光を他端に伝達し、伝達された光は、第２光出力部３０ｂから出射される。
【００５２】
図９（ｂ）は、固定部材１４４の上面図である。回転軸１６０は、筐体状の固定部材１４４から突出している。従って、固定部材１４４を電子閃光装置に装着した後でも、回転軸１６０を回転させることで、出光面分割部材１５８を回転できる。そして、固定部材１４４の上面には、出光面分割部材１５８の回転の角度を示す目盛りが設けられている。さらに、回転軸１６０に連動して動く指標が設けられている。この指標により、固定部材１４４内を覗かなくても出光面分割部材１５８の配置角度が分かるようにされている。なお、図９（ｃ）に示すように、出光面分割部材１５８の回転の角度を示す目盛りは、右側（第１及び第２光出力部３０ａ、３０ｂの一方）と左側（第１及び第２光出力部３０ａ、３０ｂの他方）の光量比で表示してもよい。
【００５３】
図１０は、固定部材１４４内部と、第１及び第２光伝達部材１５０ａ、１５０ｂの一端側の詳細を示している。図に示すように、第１及び第２光伝達部材１５０ａ、１５０ｂの光ファイバ束の一端側は、電子閃光装置からの直射光だけではなく、出光面分割部材１５８によって反射される光も受け易い角度で配置されている。具体的には、回転軸１６０から離れた光ファイバほど、開口面の法線方向に沿って配置されており、電子閃光装置の放射光を直射受け易くされている。また、回転軸１６０に近い光ファイバほど、回転軸１６０に向けて傾いて配置されており、出光面分割部材１５８で反射した光を受け易くされている。
【００５４】
次に、撮影の際の操作例を説明する。近接撮影を行う場合、電子閃光装置をカメラに装着し、電子閃光装置用アダプタ１４０の固定部材１４４を電子閃光装置の出光面の前面に固定する。そして、第１及び第２光出力部３０ａ、３０ｂを装着部材２４上に嵌め合わせて、装着部材２４をカメラの撮影レンズの鏡筒の先端に固定する。この状態では、第１及び第２光出力部３０ａ、３０ｂにより環状の出光面が形成されるので、無影撮影を実施できる。
【００５５】
また、複数の異なる方向から被写体を照明したい場合、固定部材１４４を電子閃光装置に固定後、例えば、スタンド用固定部材９２を用いて、第１及び第２光出力部３０ａ、３０ｂを、互いに離れた場所に設置された２つのライトスタンド上にそれぞれ固定すればよい。但し、第１及び第２光伝達部材１５０ａ、１５０ｂには、ライトスタンドとカメラとの距離以上の長さを有するものを用いる。なお、被写体の明るさに偏りをもたせたい場合、ユーザは、出光面分割部材１５８を回転させて、第１の空間１６２ａに入る光量と、第２の空間１６２ｂに入る光量との比を調節すればよい。これにより、照明される被写体の明るさに偏りを持たすことができる。これは、前述の近接撮影の場合においても同様である。
【００５６】
以上、第２の実施形態の電子閃光装置用アダプタ１４０を用いれば、通常撮影用の電子閃光装置を用いて、容易に近接撮影を実施できる。また、電子閃光装置に発光素子が１つしかなくても、第１及び第２光出力部３０ａ、３０ｂを離して設置するだけで、複数の異なる方向から被写体を照明できる。また、出光面分割部材１５８により、第１及び第２光出力部３０ａ、３０ｂからそれぞれ出射される発光量の比を変更できる。出光面分割部材１５８の回転角度を示す目盛りを固定部材１４４の上面に設けたので、発光量の比の調整は非常に容易である。従って、均一な照明光だけではなく、非均一な照明光を生成できるので、発光素子が１つしかない従来の電子閃光装置を用いても、多彩なライティングを実現できる。この結果、立体的な写真や芸術的な写真を容易に撮ることができる。
【００５７】
さらに、第２の実施形態では、以下のように第１の実施形態と同様の効果も得られる。
第１及び第２光出力部３０ａ、３０ｂは、簡易な構成であるので、撮影レンズの先端が重くなることはない。従って、撮影システム全体のバランスが崩れたり、レンズ位置を調整するモータへの負荷が大きくなることはない。また、第１及び第２光伝達部材１５０ａ、１５０ｂを、屈曲可能な光ファイバで構成した。従って、電気コード内の発光用大電流と制御用小信号とが互いに電磁誘導やノイズを起こして誤動作したり、発光時の電磁波ノイズによって撮影レンズ内の回路が誤動作するという従来課題は解消される。
【００５８】
１本の光ファイバの太さや光ファイバの本数を適切に選択すれば、第１及び第２光伝達部材１５０ａ、１５０ｂを、適切な柔らかさに維持できる。従って、低温の場合に電気コードが硬くなって、本体から分離した部材を撮影レンズにスムーズに装着できないという従来課題も解消される。また、第１の実施形態と同様の装着部材２４を用いるので、第１及び第２光出力部３０ａ、３０ｂは、通常の撮影レンズならどれにでも着脱自在に装着できる。以上詳述したように第２の実施形態の電子閃光装置用アダプタ１４０によれば、ユーザの利便性は大いに向上する。
【００５９】
なお、第２の実施形態では、出光面分割部材１５８を回転自在に配置させて、固定部材１４４内の空間を分割する例を述べた。本発明は、かかる実施形態に限定されるものではない。例えば、図１１に示すように、出光面分割部材を、固定部材の開口面に平行な方向にスライド移動できるように配置させて、固定部材内の空間を分割してもよい。この場合も、本実施形態と同様に、出光面分割部材により分割されたそれぞれの空間に入る光量の比を変更できる。
【００６０】
＜第３の実施形態＞
図１２は、本発明の第３の実施形態における、電子閃光装置用アダプタの概略構成を示している。本実施形態は、請求項８、及び請求項１０〜請求項１３に対応する。第１及び第２の実施形態と同一の要素には同一符号を付し、重複する説明を省略する。図に示すように、電子閃光装置用アダプタ１８０は、固定部材１８４と、第１光伝達部材１９０ａ、第２光伝達部材１９０ｂと、第１光出力部３０ａと、第２光出力部３０ｂと、装着部材２４とを有している。なお、この図には示されていないが、電子閃光装置用アダプタ１８０は、第１の実施形態のスタンド用固定部材９２も有している。
【００６１】
固定部材１８４は、電子閃光装置の発光部１５４の出光面を覆うための開口部１９２を有している。固定部材１８４は、開口部１９２が出光面を覆うように、即ち、開口部１９２の開口面が発光部１５４の出光面に合わさるように、発光部１５４に着脱自在に嵌合される形状の略筐体である。固定部材１８４の内面は、全反射性の膜で覆われている。また、固定部材１８４内には、表面が全反射性であり、且つ略板状の出光面分割部材１９８が配置されている。出光面分割部材１９８は、その向き（延在方向）が開口面の法線方向に沿うように配置されている。この出光面分割部材１９８により、固定部材１８４内の空間である開口部１９２は、第１の空間２０２ａと第２の空間２０２ｂとに２等分されている。
【００６２】
固定部材１８４の内壁及び出光面分割部材１９８の表面には、複数の減光フィルタ２０４を嵌め込むための溝２０８が複数形成されている。即ち、電子閃光装置の発光部１５４の発光素子が１つしかなくても、第１及び第２の空間２０２ａ、２０２ｂの少なくともいずれかに減光フィルタ２０４を挿入することで、第１の空間２０２ａに入る光量と、第２の空間２０２ｂに入る光量との比を調整できる。第１の空間２０２ａに入る光量を少なくしたい場合、例えば、配置可能な数（図１２の例では４つまで）の減光フィルタ２０４を第１の空間２０２ａに挿入するか、或いは、濃度の高い（即ち、光の透過率が低い）減光フィルタ２０４を第１の空間２０２ａに挿入すればよい。
【００６３】
なお、図には示していないが、固定部材１８４を電子閃光装置に装着した後でも、減光フィルタ２０４を挿入或いは取り外すことができる構成となっている。このような構成は、例えば、固定部材１８４の上面に、減光フィルタ２０４を挿入するためのスリットを複数設けることで実現できる。図１２の例では溝が左右に４つずつあるので、これらにそれぞれ対応して左右に４つずつのスリットを設ければよい。また、これらスリットに着脱自在に嵌合される形状のスリット蓋を設け、スリット蓋を固定部材１８４の上面から嵌め込むようにすればよい。これにより、減光フィルタ２０４が挿入されていないスリットからの漏光は防止される。
【００６４】
第１及び第２光伝達部材１９０ａ、１９０ｂは、発光部１５４の放射光を直射受け易いように内部の光ファイバ束の一端側が開口面の法線方向に沿って配置されている点を除いて、第２の実施形態の第１及び第２光伝達部材１５０ａ、１５０ｂと同様である。即ち、第１光伝達部材１９０ａの光ファイバ束は、第１の空間２０２ａを介して電子閃光装置の放射光を一端に受け、第２光伝達部材１９０ｂの光ファイバ束は、第２の空間２０２ｂを介して電子閃光装置の放射光を一端に受ける。
【００６５】
上述した電子閃光装置用アダプタ１８０では、照明される被写体の明るさに偏りがないように撮影する場合、第２の実施形態と同様にすればよい。被写体の明るさに偏りを持たせたい場合、ユーザは、第１及び第２の空間２０２ａ、２０２ｂの少なくともいずれかに減光フィルタ２０４を挿入すればよい。これにより、第１の空間２０２ａに入る光量と、第２の空間２０２ｂに入る光量との比を調節でき、非均一な照明光を生成できる。以上、第３の実施形態の電子閃光装置用アダプタ１８０においても、第２の実施形態と同様の効果を得ることができる。
【００６６】
＜本発明の補足事項＞
なお、第２及び第３の実施形態では、固定部材（１４４または１８４）内の空間を２つに分割し、これら２つの空間にそれぞれ入射した光を、第１及び第２光伝達部材（１５０ａ、１５０ｂまたは１９０ａ、１９０ｂ）にそれぞれ入射させる例を述べた。本発明は、かかる実施形態に限定されるものではない。固定部材内の空間を３つ以上に分割し、これらにそれぞれ入射した光を、３つ以上の光伝達部材にそれぞれ入射させてもよい。例えば第２の実施形態の場合、分割された空間数より１つ少ない出光面分割部材を設け、これらを回転自在または移動自在に配置する等により、分割された各空間に入射する光量を変更可能にすればよい。
【００６７】
分割された空間数と、光伝達部材の数とは、異なっていてもよい。例えば、固定部材内の空間を２つに分割し、第１から第４までの４つの光伝達部材を設ける構成でもよい。この場合、例えば、分割された一方の空間に入射した光を第１及び第２の光伝達部材に入射させ、他方の空間に入射した光を第３及び第４の光伝達部材に入射させればよい。或いは、固定部材内の空間を４つに分割し、２つの光伝達部材を設ける構成でもよい。この場合、例えば、４つの内２つの空間に入射した光を一方の光伝達部材に入射させ、残りの２つの空間に入射した光を他方の光伝達部材に入射させればよい。
【００６８】
第１〜第３の実施形態では、導光用の素材として光ファイバを用いる例を述べた。本発明は、かかる実施形態に限定されるものではない。光ファイバの代わりに、例えば内面に反射率の高いアルミを蒸着したパイプを第１及び第２光伝達部材として用いてもよい。この場合、第１及び第２光伝達部材は屈曲できないので、撮影用途に応じて形状及び長さの異なるものを複数用意しておけばよい。例えば近接撮影の場合、第１及び第２光伝達部材の長さは、カメラに装着される電子閃光装置の出光面と、撮影レンズに装着される第１及び第２光出力部との間隔に合わせればよい。また、２灯照明の場合には、一方のライトスタンドと、カメラ（に装着された電子閃光装置）との間隔に第１光伝達部材の長さを合わせ、他方のライトスタンドとカメラとの間隔に第２光伝達部材の長さを合わせ、カメラも三脚上に固定すればよい。
【００６９】
第１〜第３の実施形態では、第１及び第２光出力部３０ａ、３０ｂによりリング状の出光面が形成される例を述べた。本発明は、かかる実施形態に限定されるものではない。第１及び第２光出力部を合わせた出光面が例えば四角い枠状になるように、第１及び第２光出力部を形成してもよい。
【産業上の利用可能性】
【００７０】
以上詳述したように本発明は、電子閃光装置の分野において大いに利用可能である。
【図面の簡単な説明】
【００７１】
【図１】本発明の第１の実施形態における撮影システムの分解側面図である。
【図２】第１の実施形態における電子閃光装置の正面図である。
【図３】第１の実施形態における、光移動部の概略構成を示す斜視図である。
【図４】第１の実施形態における、第１発光部、固定部材、及び第１光伝達部材の断面模式図である。
【図５】第１の実施形態における光出力部及び装着部材の詳細を示す斜視図である。
【図６】第１の実施形態における、光出力部をライトスタンド上に固定するための部材の一例を示す斜視図である。
【図７】第１の実施形態における電子閃光装置の本体部内の要部を示す回路図である。
【図８】第１の実施形態の撮影システムにおいて、固定部材を電子閃光装置の本体部に装着し、光出力部をカメラの撮影レンズに装着した状態を示す側面図である。
【図９】本発明の第２の実施形態における、電子閃光装置用アダプタの概略構成を示す断面模式図である。
【図１０】第２の実施形態における、固定部材内部及び光伝達部材の一端側の詳細を示す説明図である。
【図１１】第２の実施形態における、出光面分割部材の別の構成の一例を示す説明図である。
【図１２】本発明の第３の実施形態における、電子閃光装置用アダプタの概略構成を示す断面模式図である。
【図１３】従来の近接撮影用の電子閃光装置の一例を示す外観図である。
【符号の説明】
【００７２】
１０  撮影システム
１２  撮影レンズ
１４  カメラ
１６  電子閃光装置
２０  本体部
２２  光移動部
２４  装着部材
３０ａ  第１光出力部
３０ｂ  第２光出力部
３２ａ  第１光伝達部材
３２ｂ  第２光伝達部材
３４  固定部材
４０  第１発光管
４２  第１発光回路
４４  第１発光部
４６  第２発光管
４８  第２発光回路
５０  第２発光部
５２  筐体
５４  分割部材
６０  分割部材
６２ａ  第１の空間
６２ｂ  第２の空間
７０  突起
７２  切り込み
７６  窪み
７８  ねじ穴
８０  固定ねじ
８２  ゴムクッション
８６  拡散板
８８  取付穴
９２  スタンド用固定部材
９４  突起
９６  ねじ穴
１００  昇圧回路
１０４  電圧レベル検出回路
１０８  発光量制御部
１１０  情報表示部
１１４  第１トリガー回路
１１６  第１の倍電圧回路
１１８  ＩＧＢＴ
１２２  第２トリガー回路
１２４  第２の倍電圧回路
１２６  ＩＧＢＴ
１４０  電子閃光装置用アダプタ
１４４  固定部材
１５０ａ  第１光伝達部材
１５０ｂ  第２光伝達部材
１５２  開口部
１５４  発光部
１５８  出光面分割部材
１６０  回転軸
１６２ａ  第１の空間
１６２ｂ  第２の空間
１８０  電子閃光装置用アダプタ
１８４  分割部材
１９０ａ  第１光伝達部材
１９０ｂ  第２光伝達部材
１９２  開口部
１９８  出光面分割部材
２０２ａ  第１の空間
２０２ｂ  第２の空間
２０４  減光フィルタ
２０８  溝
Ｂａｔｔ  電池
Ｃ１  メインコンデンサ
Ｃ２、Ｃ４  トリガーコンデンサ
Ｃ３、Ｃ５  コンデンサ
Ｄ１、Ｄ２、Ｄ３、Ｄ４  ダイオード
Ｒ１、Ｒ２、Ｒ３、Ｒ４  抵抗
Ｔ１、Ｔ２・・・…トリガーコイル
【図１】
0004645021.tif 000002
【図２】
0004645021.tif 000003
【図３】
0004645021.tif 000004
【図４】
0004645021.tif 000005
【図５】
0004645021.tif 000006
【図６】
0004645021.tif 000007
【図７】
0004645021.tif 000008
【図８】
0004645021.tif 000009
【図９】
0004645021.tif 000010
【図１０】
0004645021.tif 000011
【図１１】
0004645021.tif 000012
【図１２】
0004645021.tif 000013
【図１３】
0004645021.tif 000014